(57)【要約】【課題】１回の撮影において分割されて記録された複数のファイルの関連性が容易に認識できる画像処理装置の提供。【解決手段】それぞれが、動画データと、他の動画ファイルとの時間的な連続性に関する識別情報とを含む複数の動画ファイルを処理する画像処理装置は、動画ファイルに含まれる動画データの少なくとも一部を消去する編集を行う処理手段と、編集に応じて、動画ファイルの識別情報を変更するように制御する制御手段とを有し、処理手段が動画ファイルに含まれる動画データの少なくとも一部を消去する編集を行った場合、制御手段は、複数の動画ファイルのうち少なくとも一つの動画ファイルの識別情報を、編集を行った動画ファイルと編集を行った動画ファイルに対して時間的に連続する動画ファイルとの連続性がないことを識別するための所定値に変更する。【選択図】図８
2014045353.tif 000002
【特許請求の範囲】
【請求項１】
それぞれが動画データを格納した動画ファイルであり、各動画ファイルが少なくとも一つの他の動画ファイルとの連続性を示す識別情報を含む前記複数の動画ファイルのうちの編集対象の動画ファイルの少なくとも一部を消去する編集手段と、
前記編集対象の動画ファイルの少なくとも一部の消去に従って、前記編集対象の動画ファイルの識別情報を、前記編集対象の動画ファイル以外の動画ファイルとの連続性が無いことを示すように変更する制御手段と
を備えることを特徴とする画像処理装置。
【請求項２】
各動画ファイルが含む前記識別情報は、他の動画ファイルのうち、前記各動画ファイルに対して前に連続する動画ファイルを識別する第１の識別情報と、後に連続する動画ファイルを識別する第２の識別情報を含み、前記制御手段は、前記編集対象の動画ファイルの一部が消去された場合、前記編集対象の動画ファイルの第１及び第２の識別情報の少なくとも一つを、連続性が無いことを示すように変更することを特徴とする請求項１に記載の画像処理装置。
【請求項３】
前記制御手段は、前記編集対象の動画ファイルに格納された動画データの先頭からの一部が消去された場合、前記編集対象の動画ファイルの第１の識別情報を連続性が無いことを示すように変更し、前記編集対象の動画ファイルに格納された動画データの最後からの一部が消去された場合、前記編集対象の動画ファイルの第２の識別情報を連続性が無いことを示すように変更することを特徴とする請求項２に記載の画像処理装置。
【請求項４】
前記制御手段はさらに、前記編集対象の動画ファイルに格納された動画データの先頭からの一部が消去された場合、前記編集対象の動画ファイルに対して前記前に連続する動画ファイルの第２の識別情報を連続性が無いことを示す情報に変更し、前記編集対象の動画ファイルに格納された動画データの最後からの一部が消去された場合、前記編集対象の動画ファイルに対して後に連続する動画ファイルの第１の識別情報を連続性が無いことを示すように変更することを特徴とする請求項３に記載の画像処理装置。
【請求項５】
前記制御手段は、前記編集対象の動画ファイルに格納された動画データの先頭からの一部が消去された場合、前記編集対象の動画ファイルの第１および第２の識別情報の変更を行なわず、前記編集対象の動画ファイルに格納された動画データの最後からの一部が消去された場合、前記編集対象の動画ファイルの第２の識別情報を連続性が無いことを示すように変更することを特徴とする請求項２に記載の画像処理装置。
【請求項６】
前記制御手段はさらに、前記編集対象の動画ファイルに格納された動画データの先頭からの一部が消去された場合、前記編集対象の動画ファイルに対して前記前に連続する動画ファイルの第２の識別情報を連続性が無いことを示すように変更することを特徴とする請求項５に記載の画像処理装置。
【請求項７】
前記複数の動画ファイルの動画データおよび第１および第２の識別情報に従って前記複数の動画ファイルのインデックス画面を作成するインデックス画面作成手段と、
前記インデックス画面を表示する表示手段と、
前記表示手段で表示されたインデックス画面において、前記編集対象の動画ファイルを選択する選択手段とをさらに備え、
前記インデックス画面作成手段は、前記複数の動画ファイルの連続性を各動画ファイルに含まれる識別情報に従って検出し、前記の検出に結果に従って、検出された連続性を識別するための情報を生成し、前記表示手段は、前記連続性を識別するための情報を前記インデックス画面とともに表示することを特徴とする請求項１乃至６のいずれか一項に記載の画像処理装置。
【請求項８】
前記編集手段は、前記編集対象の動画ファイルに格納された動画データの編集処理の編集点を設定する設定手段を含み、前記設定された編集点と前記編集処理の種類を保持することを特徴とする請求項１乃至７のいずれか一項に記載の画像処理装置。
【請求項９】
前記編集手段により編集処理が行われた動画ファイルおよび制御手段で識別情報が変更された動画ファイルを記録媒体に記録する記録手段を備えることを特徴とする請求項１乃至８のいずれか一項に記載の画像処理装置。
【請求項１０】
それぞれが動画データを格納した動画ファイルであり、各動画ファイルが少なくとも一つの他の動画ファイルとの連続性を示す識別情報を含む前記複数の動画ファイルの画像処理方法において、
前記複数の動画ファイルのうちの編集対象の動画ファイルの少なくとも一部を消去する編集ステップと、
前記編集対象の動画ファイルの少なくとも一部の消去に従って、前記編集対象の動画ファイルの識別情報を、前記編集対象の動画ファイル以外の動画ファイルとの連続性が無いことを示すように変更する制御ステップと
を備えることを特徴とする画像処理方法。
【請求項１１】
それぞれが動画データを格納した動画ファイルであり、各動画ファイルが少なくとも一つの他の動画ファイルとの連続性を示す識別情報を含む前記複数の動画ファイルの画像処理装置を制御するためのプログラムであり、
コンピュータを、
前記複数の動画ファイルのうちの編集対象の動画ファイルの少なくとも一部を消去する編集手段、
前記編集対象の動画ファイルの少なくとも一部の消去に従って、前記編集対象の動画ファイルの識別情報を、前記編集対象の動画ファイル以外の動画ファイルとの連続性が無いことを示すように変更する制御手段
として機能させるプログラム。
【請求項１２】
請求項１１に記載のプログラムを記憶したコンピュータが読み取り可能な記憶媒体。
【請求項１３】
コンピュータを、請求項１乃至９のいずれか一項に記載された画像処理装置の各手段として機能させるプログラム。
【請求項１４】
コンピュータを、請求項１乃至９のいずれか一項に記載された画像処理装置の各手段として機能させるプログラムを格納した記憶媒体。
【発明の詳細な説明】
【技術分野】
【０００１】
本発明は画像処理装置に関し、特に、動画ファイルの編集に関する。
【背景技術】
【０００２】
従来、動画像信号や音声信号を記録媒体に記録する記録装置が知られている。この種の記録装置においては、記録した動画や音声を所定のファイルシステムに従ってファイルとして管理する。記録構成の一つとして、動画や音声の記録中に、ファイルのサイズがファイルシステムにより規定された上限のサイズを超えない様に、記録中にファイルを分割しながら記録する構成が提案されている（例えば、特許文献１参照）。
【０００３】
また、記録された動画ファイルの消去や、動画ファイルの指定された位置よりも前、或いは後ろの部分を一部消去する編集機能を持つ装置も知られている。
【先行技術文献】
【特許文献】
【０００４】
【特許文献１】特開２０１０−１８３２４８号公報
【発明の概要】
【発明が解決しようとする課題】
【０００５】
上述した記録構成では、ユーザにより記録開始の指示から記録停止の指示までの間、記録中のファイルのサイズが上限のサイズに達する度にファイルが分割されて記録される。しかしながら、１回の撮影において分割されて記録されたファイルは、それぞれ独立したファイルとして管理されるため、ユーザは、それらが関連したファイルであることを容易に認識できず、大変不便であった。特に、関連ファイルの一部のファイルについて上記編集機能により一部削除等の編集を行なったときは、動画データ自体の関連性が失われるため、一層認識が困難になる。
【０００６】
本発明は上記問題点に鑑み、１回の記録中に複数のファイルが作成して記録する場合に、それら複数のファイルの関連情報を設定し、記録ファイルを編集しても関係性を保持および更新する編集方法を実現することを目的とする。
【課題を解決するための手段】
【０００７】
上記本発明の目的を達成するため、画像処理装置は、それぞれが動画データを格納した動画ファイルであり、各動画ファイルが少なくとも一つの他の動画ファイルとの連続性を示す識別情報を含む複数の動画ファイルのうちの編集対象の動画ファイルの少なくとも一部を消去する編集手段と、編集対象の動画ファイルの少なくとも一部の消去に従って、編集対象の動画ファイルの識別情報を、編集対象の動画ファイル以外の動画ファイルとの連続性が無いことを示すように変更する制御手段とを備える。
【発明の効果】
【０００８】
本発明によれば、１回の記録中に生成されて記録された複数のファイルを編集しても、それらの関連性を識別する識別情報を保持および更新することが可能となり、編集後の連続再生および連結処理が容易となる。
【図面の簡単な説明】
【０００９】
【図１】本発明の実施形態に係る記録装置の構成例を示すブロック図である。
【図２】第１の実施形態における記録処理を示すフローチャートである。
【図３】第１の実施形態における記録された動画ファイルの状態を示す図である。
【図４】動画ファイルの構成を示す図である。
【図５】識別情報の構成を示す図である。
【図６】第１の実施形態における再生処理を示すフローチャートである。
【図７】第１の実施形態における編集処理を示すフローチャートである。
【図８】動画ファイルの編集処理を示すフローチャートである。
【図９】動画ファイルの識別情報を示す図である。
【図１０】動画ファイルの識別情報を示す図である。
【図１１】第２の実施形態における記録処理を示すフローチャートである。
【図１２】第２の実施形態における記録された動画ファイルの状態を示す図である。
【図１３】動画ファイルの識別情報を示す図である。
【図１４】動画ファイルの識別情報を示す図である。
【図１５】第３の実施形態における動画ファイルの編集処理を示すフローチャートである。
【図１６】動画ファイルの識別情報を示す図である。
【図１７】第３の実施形態における再生処理を示すフローチャートである。
【図１８】第３の実施形態におけるインデックス画面の表示処理を示すフローチャートである。
【発明を実施するための形態】
【００１０】
（第１の実施形態）
以下、本発明の実施形態について図面を参照しながら詳細に説明する。
【００１１】
（第１の実施例）
＜機器の構成＞
図１は、本発明の第１の実施例に係る記録装置１００の構成例を示すブロック図である。
【００１２】
図１において、入力部１０１は、動画データや音声データを取得して出力する。本実施例では入力部１０１は記録装置１００の外部から供給された動画データや音声データを入力するが、入力部１０１を撮像部やマイクロフォンを含む構成とし、撮影された動画やマイクにより音声データを取得する構成としてもよい。例えば、ビデオカメラのような撮像装置における撮影された動画データの記録、再生処理構成に本発明の画像処理構成を適用することも可能である。
【００１３】
制御部１０２は、操作部１０３からの入力に応じて記録装置１００の動作全体を制御する。制御部１０２はマイクロコンピュータやメモリ等を含み、不図示の不揮発性メモリに記憶されたコンピュータプログラム（ソフトウェア）に従って記録装置１００を制御する。また、制御部１０２は、記録再生部１０６との間でデータやコマンドを通信するための記録媒体インターフェイスを内蔵している。操作部１０３は、ユーザにより操作可能な各種のスイッチを含む。それにより、操作部１０３は、ユーザによる各種の指示などを受理して制御部１０２へ通知する。また、操作部１０３は、電源スイッチや記録の開始、停止を指示するためのスイッチ、記録装置１００のモードを切り替えるためのスイッチ等を含む。
【００１４】
信号処理部１０４は、記録時においては、入力部１０１により入力された動画データや音声データをＭＰＥＧ等の公知の符号化形式に従って符号化して、その情報量を圧縮する。さらに、信号処理部１０４は、動画データや音声データを記録するために必要な処理を施して、符号化された動画データや音声データの符号量（データ量）の情報を制御部１０２に出力する。一方、再生時においては、信号処理部１０４は再生された動画データや音声データを復号し、その情報量を伸張する。
【００１５】
メモリ１０５は、動画データや音声データを記憶する。記録装置１００の各ブロックは、メモリ１０５に対してアクセスすることにより、動画データや音声データを処理する。また、メモリ１０５は、動画データや音声データの他に、ファイルシステムの情報や、管理情報など、各種の情報を記憶し、更に、制御部１０２による制御のためのワークメモリ等の役割を果たす。
【００１６】
記録再生部１０６は、記録媒体１０８に対し、動画データや音声データ、或いは、各種の情報を書き込み、或いは、読み出す。記録再生部１０６は、記録時においては、メモリ１０５に蓄積された動画データや音声データを記録媒体１０８に書き込む。また、記録再生部１０６は、再生時においては、記録媒体１０８から動画データや音声データを読み出し、メモリ１０５に記憶する。本実施例では、記録媒体１０８ハードディスク（ＨＤＤ）、フラッシュメモリカード等、ランダムアクセスの記録媒体である。
【００１７】
また、記録再生部１０６は、記録媒体１０８に記録する動画、音声データや、各種の情報を、ＦＡＴ（File Allocation Table）等のファイルシステムに従い、ファイルとして管理する。また、記録再生部１０６は、ＡＴＡ（AT Attachment）等の公知のインターフェイス（ＩＦ）を有し、制御部１０２における記録媒体ＩＦとの間でデータや各種のコマンドを通信する。また、不図示の装着、排出機構により、記録装置１００に対して記録媒体１０８を容易に装着、排出することができるように構成するが、記録装置１００に各記録媒体１０８が内蔵される構成でもよい。
【００１８】
制御部１０２は、記録媒体１０８に対して動画データや音声データを含む動画ファイルの書き込み、読み出しを行う場合、記録再生部１０６を制御して、記録媒体１０８から、ファイルシステムデータ（管理データ）を再生してメモリ１０５に記憶する。このファイルシステムデータは、記録媒体１０８に記録されたデータのファイル名やファイルのサイズ、データの記録アドレスなどを示すデータであり、ファイルを管理するための情報である。そして、制御部１０２は、読み出したファイルシステムデータに従ってファイルの書き込み、読み出しを制御する。制御部１０２は、記録媒体１０８へのファイルの書き込みに応じて、メモリ１０５に記憶されたファイルシステムデータを更新する。そして、更新したファイルシステムデータを、記録再生部１０６により記録媒体１０８に記録する。
【００１９】
本実施例では、記録媒体１０８に対して記録する動画ファイルに対し、汎用一意識別子（ＵＵＩＤ：Universal Unique IDentifier）を付加して記録する。ＵＵＩＤは各動画ファイルを一意に識別するための識別情報であり、制御部１０２は、新たに動画ファイルを作成する度に、異なる値のＵＵＩＤを生成する。そのため、記録媒体１０８に記録されたＵＵＩＤの値を確認すれば、各動画ファイルを容易に識別することができる。
【００２０】
また、ユーザは、操作部１０３を操作することにより、記録装置１００の動作モードの切り替え、あるいは、動画データの記録開始、停止などを指示することができる。また、出力部１０７は、再生された動画データや音声データを記録装置１００の外部の表示装置などに出力する。表示部１０９は、動画や各種の情報を液晶パネル等の表示装置に表示する。データバス１１０は、記録装置１００の各部の間でデータや各種の制御コマンドなどを送受信するために用いられる。
【００２１】
＜記録動作＞
次に、本実施例における記録動作について説明する。まず、操作部１０３から動画データの記録モードへ移行する指示を受けると、記録装置１００を記録待機状態へ遷移し、記録開始の指示を待つ。そして、記録待機状態において、入力部１０１から入力された動画データに係る動画を表示部１０９に表示する。操作部１０３から記録開始の指示が入力されると、信号処理部１０４は、入力部１０１により入力されてメモリ１０５に記憶された動画データを読み出して、動画データの符号化を開始する。そして、信号処理部１０４により、符号化されたデータをメモリ１０５に記憶する。
【００２２】
本実施例では、信号処理部１０４により符号化されたデータのデータレートは、記録媒体１０８、１０９に対して記録可能なデータレートよりも低い。そのため、本実施形態では、符号化データを一旦メモリ１０５に記憶する。そして、メモリ１０５に記憶された符号化データのデータ量が第１の所定量に達する毎に、記録再生部１０６は、メモリ１０５から符号化データを読み出して、記録媒体１０８に記録する。そして、メモリ１０５に記憶された符号化データが第１の所定量よりも少ない第２の所定量まで減少した時点でメモリ１０５からの符号化データの読み出しを一時停止し、記録媒体１０８に対する記録処理を中断する。このようにして記録処理を繰り返す。このとき、開かれているファイルがない場合は、新規に符号化データを記録するファイルを作成して開き、符号化データを動画ファイルとして記録する。
【００２３】
そして、制御部１０２は、記録媒体に対する１回の書き込みが完了する度に、今回書き込まれた符号化データの記録位置などに基づいて、メモリ１０５に記憶されたファイルシステムデータ（管理情報）を更新する。そして、制御部１０２は、記録再生部１０６を制御して、更新されたファイルシステムデータをメモリ１０５から読み出して、記録媒体に記録する。
【００２４】
また、制御部１０２は、記録装置１００の固体番号や、記録日時、この記録装置における使用開始からの総記録回数、予め用意された乱数などを組み合わせ、所定ビット長の数値を持つＵＵＩＤを生成する。そして、このＵＵＩＤをこのファイル固有の識別情報（ユニークＩＤ）として後述の様に動画ファイルの管理情報領域に付加して記録する。制御部１０２は、記録開始の指示を受けて、新たに動画ファイルを作成する度に異なる値のＵＵＩＤを生成する。
【００２５】
また、本実施例では、ＭＰ４ファイル形式に従い、動画ファイルを記録する。図４は、ＭＰ４ファイルの構成例を示した図である。ＭＰ４は図４のような木構造を持ち、それぞれボックスと呼ばれる要素を持つ。
【００２６】
最上位階層のボックスには、ｆｔｙｐ、ｍｏｏｖ、及びｍｄａｔボックスが存在する。ｆｔｙｐ４０１は互換性情報、ｍｏｏｖ４０２は動画データ、音声データに関する管理情報が格納される。また、ｍｄａｔ４０３には動画データ、音声データの実データが格納される。記録時にはｍｄａｔに動画データと音声データを追記しながら記録する。
【００２７】
例では、このｕｕｉｄボックス４０４に、各動画ファイルの固有のＩＤ（ユニークＩＤ）を格納する。更に、本実施例では、記録中の動画ファイルをクローズして新たに動画ファイルをオープンして記録を続ける場合に、オープンされるファイル（以下、「後に連続するファイル」と記す）を識別するための情報（第１の識別情報）を生成する。この時、クローズされるファイル（以下、「前に連続するファイル」と記す）を識別するための情報（第２の識別情報）をも生成し、これら２つの情報をオープンされたファイルのｕｕｉｄボックス４０４に格納する。
【００２８】
図５はｕｕｉｄボックス４０４に格納される識別情報の内容を示す図である。ＵｎｉｑｕｅＩＤ（ＵＩＤ）は、長さが１６バイトで、各動画ファイルに固有の値が格納される。具体的には、前記のＵＵＩＤの値が格納される。ＮｅｘｔＩＤ（ＮＩＤ）は、ユーザによる記録開始の指示から記録停止の指示までの１回の記録中に複数の動画ファイルが記録された場合に、後に連続するファイルの識別情報（ＵＩＤ）の値が格納される。また、１回の記録における最後のファイルである場合には所定値、ここでは、例えば０が格納される。ＮＩＤに所定値が格納されている場合、後に連続するファイルが無いことを示している。また、ＰｒｅＩＤ（ＰＩＤ）は、１回の記録中に複数の動画ファイルが記録された場合に、前に連続するファイルの識別情報の値が格納される。また、１回の記録における先頭のファイルである場合には所定値、ここでは、例えば０が格納される。ＰＩＤとして所定値が格納されている場合、前に連続するファイルが無いことを示している。
【００２９】
本実施例では、制御部１０２は、記録再生部１０６や信号処理部１０４からの通知により、記録中のファイルサイズを監視している。そして、制御部１０２は、記録中のファイルサイズがファイルの分割を行うかどうかを決めるための閾値（ファイル分割閾値）に達した場合、記録中のファイルをクローズし、新たに動画ファイルを作成（オープン）して記録を続ける。本実施形態では、ファイルシステムによって決められたファイルサイズの上限に基づき、ファイル分割の閾値を決定している。即ち、本実施形態では、ファイル分割の閾値を、ファイルサイズの上限よりも所定量少ない量とした。
【００３０】
ＦＡＴ３２ファイルシステムを用いている場合には、一つのファイルサイズの最大値が４ギガバイト（ＧＢ）という制限があるため、ファイル分割閾値は上限である４ＧＢよりも少ない所定値にする。
【００３１】
記録中にファイルサイズがファイル分割閾値に達した場合、制御部１０２は記録再生部１０６に対し、現在開いているファイルをクローズし、新たなファイルを開いて符号化データの記録を続けるよう指示する。以上のように、動画の記録中にファイルのサイズがファイル分割閾値に達する毎にファイルを分割しながら記録を続ける。
【００３２】
また、動画の記録中に、操作部１０３から記録停止の指示を受けた場合は、制御部１０２は信号処理部１０４による動画データの符号化を停止し、記録再生部１０６により記録中のファイルを閉じる。また、これに応じて、制御部１０２はファイルシステムデータの内容を変更して記録媒体に記録するよう、記録再生部１０６に指示する。
【００３３】
以下、図２のフローチャートを用いて記録処理について説明する。なお、図２の処理は制御部１０２が各部を制御することにより実行される。記録待機状態において、操作部１０３より記録開始の指示を受けた場合に図２の処理を開始する。制御部１０２は、まず、記録再生部１０６に対して動画ファイルをオープンするように指示する（Ｓ２０１）。次に、制御部１０２は、今回記録する動画ファイルの識別情報（ＵＩＤ）を生成し、メモリ１０５に記憶する（Ｓ２０２）。また、制御部１０２は、今回記録する動画ファイルのＰＩＤとして０を設定し、メモリ１０５に記憶する（Ｓ２０３）。
【００３４】
次に、制御部１０２は、信号処理部１０４を制御して動画と音声データの符号化を開始し（Ｓ２０４）、符号化データをメモリ１０５に記憶する。また、制御部１０２は、記録開始後の先頭のフレームを縮小し、サムネイル画像（代表画像）を生成するように信号処理部１０４に指示する。信号処理部１０４は、先頭フレームを縮小してサムネイル画像データを生成し、メモリ１０５に記憶する。
【００３５】
そして、メモリ１０５に記憶された未記録の符号化データのデータ量が書き込みのための閾値に達した場合、制御部１０２は、記録再生部１０６に対して書き込みを指示する。記録再生部１０６は、メモリ１０５より符号化データを読み出し、記録媒体１０８に記録する（Ｓ２０５）。制御部１０２は、メモリ１０５に記憶された未記録の符号化データのデータ量が書き込み停止のための閾値よりも少なくなった場合、記録再生部１０６に対して書き込み停止を指示し、記録媒体１０８に対する符号化データの書き込みを一時停止する。
【００３６】
そして、１回の書き込み処理が終了すると、制御部１０２は、現在記録中の動画ファイルのファイルサイズが、ファイル分割のための分割閾値以上となったか否かを判別する（Ｓ２０６）。ファイルサイズが分割閾値に達していない場合、制御部１０２は、Ｓ２０４に戻り、記録処理を続ける（Ｓ２０７）。
【００３７】
Ｓ２０６で、記録中の動画ファイルのサイズが分割閾値以上となっていた場合、制御部１０２は、次の動画ファイルのＵＩＤを生成し、メモリ１０５に記憶し（Ｓ２１２）、現在記録中の動画ファイルのＮＩＤに、次のファイルのＵＩＤの値を設定する（Ｓ２１３）。そして、制御部１０２は、記録再生部１０６を制御して、メモリに記憶されたＵＩＤ、ＮＩＤ、ＰＩＤ、及びサムネイル画像データを含む管理データをｍｏｏｖボックスに格納し、記録媒体１０８に記録する。そして、制御部１０２は、記録再生部１０６を制御して、記録中の動画ファイルをクローズし（Ｓ２１５）、新たな動画ファイルをオープンする（Ｓ２１６）。そして、この新たに作成した動画ファイルのＰＩＤとして、直前にクローズした動画ファイルのＵＩＤを設定してメモリ１０５に記憶した後、Ｓ２０４に戻って処理を続ける（Ｓ２１７）。なお、ｍｏｏｖボックスには、ｍｄａｔボックスに格納される動画、音声データの所定の単位毎のファイル先頭からのオフセット（データ量）を示す情報や、その他再生のために必要なデータも格納される。また、本実施例では、各ファイルに番号を含むファイル名を付加する。そして、新たにファイルを作成した場合、ファイル番号を１ずつ増加させる。
【００３８】
また、Ｓ２０７で記録停止の指示があった場合、制御部１０２は、記録再生部１０６を制御して、その時点でメモリ１０５に記憶されていた未記録の符号化データを記録媒体１０８に記録する（Ｓ２０８）。そして、制御部１０２は、現在記録中の動画ファイルのＮＩＤとして０を設定してメモリ１０５に記憶する（Ｓ２０９）。そして、制御部１０２は、記録再生部１０６を制御して、メモリに記憶されたＵＩＤ、ＮＩＤ、ＰＩＤを含む管理データをｍｏｏｖボックスに格納し、記録媒体１０８に記録し（Ｓ２１０）、記録中のファイルをクローズして記録を停止する（Ｓ２１１）。
【００３９】
図３は、本実施例の記録装置において記録媒体に記録される動画ファイルと、各動画ファイルのｕｕｉｄボックス４０４に格納される識別情報の内容を示す図である。図３（ａ）は、記録開始の指示から記録停止の指示までの間に複数の動画ファイルが記録されなかった場合の動画ファイルの内容を示している。記録開始に応じて動画ファイル３０１が作成され、この動画ファイル３０１のサイズが分割閾値に達する前に記録停止が指示された場合、ＵＩＤとして例えば１１１１が格納され、ＮＩＤとＰＩＤにはそれぞれ０（００００）が格納される。
【００４０】
一方、図３（ｂ）は、記録開始の指示から記録停止の指示までの間に三つの動画ファイルが記録された場合の動画ファイルの内容を示している。記録開始に応じて動画ファイル３０２が作成される。この動画ファイル３０２のサイズが分割閾値に達すると、ファイル３０２がクローズされ、新たにファイル３０３が作成される。ファイル３０３のＵＩＤとして例えば１１１２が格納され、ＮＩＤには次のファイルのＵＩＤである１１１３が格納される。また、ファイル３０２は記録開始後の先頭のファイルなので、ＰＩＤには０（００００）が格納される。動画ファイル３０３のサイズが分割閾値に達すると、ファイル３０３がクローズされ、新たにファイル３０４が作成される。ファイル３０３のＮＩＤにはファイル３０４のＵＩＤである１１１４が格納され、ファイル３０３のＰＩＤにはファイル３０２のＵＩＤである１１１２が格納される。動画ファイル３０４の記録中に記録停止の指示があると、ファイル３０４のＰＩＤとしてファイル３０３のＵＩＤである１１１３が格納される。また、ファイル３０４は１回の記録における最後のファイルなので、ＮＩＤとして０が格納される。
【００４１】
この様に、本実施例では、１回の記録中に複数の動画ファイルが記録された場合、直前、直後のファイルの識別情報を動画ファイルに格納して記録する。そのため、１回の記録において記録された動画ファイルであることを簡単に認識することができる。
【００４２】
なお、本実施形態では、記録停止時、或いは、ファイルサイズが分割閾値に達した場合に、記録中の動画ファイルのＮＩＤを設定したが、ファイル作成時にＮＩＤを設定するようにしてもよい。例えば、ファイル作成時に、次の動画ファイルのＵＩＤが生成できる場合には、この次の動画ファイルのＵＩＤをＮＩＤとして設定し、ＰＩＤと共に記録媒体に記録する。そして、この動画ファイルの記録中に記録停止の指示があった場合には、記録済みのＮＩＤの値を所定値（０）に変更する。
【００４３】
或いは、ファイルの作成時に、ＮＩＤの値を０に設定してＰＩＤと共に記録する。そして、この動画ファイルのサイズが分割閾値に達した場合には、次の動画ファイルのＵＩＤによりＮＩＤの値を変更する。
【００４４】
＜再生動作＞
次に、再生時の処理を説明する。図６は、再生処理を示すフローチャートである。操作部１０３により再生モードの切り替え指示が出力された場合、制御部１０２は、記録再生部１０６を制御し、記録媒体１０８に記録された複数の動画ファイルを検出する。そして、制御部１０２は、各動画ファイルのサムネイル画像データを読み出してメモリ１０５に記憶するように、記録再生部１０６に指示する。制御部１０２は、各動画ファイルのシーンのサムネイル画像からなるインデックス画面を作成し、表示部１０９に表示する（Ｓ６０１、インデックス画面作成手段）。
【００４５】
このとき、制御部１０２は、インデックス画面に表示されているサムネイル画像に対応した各動画ファイルのＮＩＤとＰＩＤの値を確認する。制御部１０２は、識別情報に基づいて、各動画ファイルが１回の記録中に記録された複数の動画ファイルであるかどうかを検出する。そして、制御部１０２は、１回の記録指示により記録された複数の動画ファイルであることをユーザが識別できる様に、インデックス画面の表示を変更する。
【００４６】
例えば、図３（ｂ）の様に、１回の記録によりファイル３０２−３０４の三つの動画ファイルが記録された場合、これら三つのファイルのサムネイル画像をそれぞれ表示部１０９に表示する。そして、これら三つの動画ファイルが１回の撮影により記録された動画であることを識別するための情報をインデックス画面に表示する。なお、この時の識別結果、又は識別に使用した識別情報を例えば図９の９０１のようにメモリ１０５に保持しておくことで、インデックス画面の表示後の再生又は編集におけるファイルの連続性の判断の際に参照することができる。特に、編集中に識別情報の連続性がないことを示す情報に変更されても、編集対象ファイルに連続するファイルの存在を適切に判断することができる。
【００４７】
次に、ユーザは、操作部１０３を操作して、インデックス画面に表示された代表画像から所望の代表画像を選択し、再生を指示する（Ｓ６０２）。制御部１０２は、再生指示が出力された場合、選択された代表画像に対応するシーンの動画ファイルを再生するように、記録再生部１０６に指示する。記録再生部１０６は、指定された動画ファイルを記録媒体１０８から再生する（Ｓ６０３）。信号処理部１０４は、再生された動画ファイルを復号し、表示部１０９に表示すると共に、出力部１０７より外部に出力する。
【００４８】
制御部１０２は、動画ファイルの最後まで再生したか否かを判別する（Ｓ６０４）。動画ファイルの最後まで再生していない場合、制御部１０２は、再生停止の指示が出力されたか否かを判別する（Ｓ６０５）。再生停止の指示が無い場合にはそのまま動画の再生が継続される。また、再生停止の指示が出力された場合、制御部１０２は、記録再生部１０６に対し、動画ファイルの再生を停止するように指示する。記録再生部１０６は、動画ファイルの再生を停止する（Ｓ６０６）。そして、制御部１０２は、再度、インデックス画面を表示部１０９に表示する。
【００４９】
また、Ｓ６０４で、動画ファイルの最後まで再生した場合、制御部１０２は、再生中の動画ファイルのＮＩＤを確認し、ＮＩＤに所定値０が格納されているか否かを判別する（Ｓ６０７）。ＮＩＤに０が格納されていた場合、１回の記録により記録された最後のファイルであるため、制御部１０２は、記録再生部１０６に対し、動画ファイルの再生を停止するように指示する。記録再生部１０６は、動画ファイルの再生を停止する（Ｓ６０６）。そして、制御部１０２は、再度、インデックス画面を表示部１０９に表示する。
【００５０】
また、ＮＩＤが０でない場合、制御部１０２は、再生中の動画ファイルのＮＩＤと同じ値がＵＩＤに格納された動画ファイルが記録媒体１０８に記録されているか否かを判別する（Ｓ６０８）。ＮＩＤに対応した動画ファイルが記録されていた場合、制御部１０２は、ＮＩＤに対応した次の動画ファイルを選択し（Ｓ６０９）、この動画ファイルを再生する（Ｓ６０３）。また、ＮＩＤに対応した動画ファイルが記録されていない場合、制御部１０２は、記録再生部１０６に対し、動画ファイルの再生を停止するように指示する。記録再生部１０６は、動画ファイルの再生を停止する（Ｓ６０６）。そして、制御部１０２は、再度、インデックス画面を表示部１０９に表示する。
【００５１】
＜編集動作＞
次に、編集処理について説明する。図７、図８は、本実施例における編集処理を示すフローチャートである。まず、操作部１０３により再生モード切り替え指示があると、制御部１０２は、前述の再生動作と同様の処理により、各シーンのサムネイル画像データを読み出し、インデックス画面を表示部１０９に表示する（Ｓ７０１）。
【００５２】
ここでは、図９の９０１に記載した６個の動画ファイルが記録媒体１０８に記録されているものとする。図９の９０１は、記録媒体１０８に記録された動画ファイルと、その識別情報を示している。動画ファイルＭＶＩ＿０００１．ＭＰ４からＭＶＩ０００５．ＭＰ４までの５個の動画ファイルは、ユーザによる１回の記録開始の指示から記録停止の指示までの間にファイル分割を経て記録された動画ファイルである。また、動画ファイルＶＭＩ＿０００６．ＭＰ４は、ユーザによる１回の記録開始の指示から記録停止の指示までの間に記録された動画ファイルである。
【００５３】
動画ファイルＭＶＩ＿０００１．ＭＰ４は記録開始時の先頭のファイルであるため、ＰＩＤとして００００が格納される。また、ＭＶＩ＿０００１．ＭＰ４のＮＩＤには、次の動画ファイルＭＶＩ＿０００２．ＭＰ４のＵＩＤである１１１２が格納される。
【００５４】
また、動画ファイルＭＶＩ＿０００２．ＭＰ４のＰＩＤには、直前の動画ファイルＭＶＩ＿０００１．ＭＰ４のＵＩＤである１１１１が格納され、ＮＩＤには、次の動画ファイルＭＶＩ＿０００３．ＭＰ４のＵＩＤである１１１３が格納される。
【００５５】
また、動画ファイルＭＶＩ＿０００３．ＭＰ４のＰＩＤには、直前の動画ファイルＭＶＩ＿０００２．ＭＰ４のＵＩＤである１１１２が格納され、ＮＩＤには、次の動画ファイルＭＶＩ＿０００４．ＭＰ４のＵＩＤである１１１４が格納される。
【００５６】
また、動画ファイルＭＶＩ＿０００４．ＭＰ４のＰＩＤには、直前の動画ファイルＭＶＩ＿０００３．ＭＰ４のＵＩＤである１１１３が格納され、ＮＩＤには、次の動画ファイルＭＶＩ＿０００５．ＭＰ４のＵＩＤである１１１５が格納される。
【００５７】
また、動画ファイルＭＶＩ＿０００５．ＭＰ４のＰＩＤには、直前の動画ファイルＭＶＩ＿０００４．ＭＰ４のＵＩＤである１１１４が格納される。そして、動画ファイルＭＶＩ＿０００５．ＭＰ４は記録停止時の最後のファイルであるため、ＮＩＤには所定値００００が格納される。
【００５８】
また、動画ファイルＭＶＩ＿０００６．ＭＰ４は、１回の記録開始の指示及び記録停止の指示により記録されたファイルであるため、ＮＩＤ、ＰＩＤ共に所定値００００が格納される。
【００５９】
制御部１０２は、信号処理部１０４を制御して、これら６個の動画ファイルのサムネイル画像を含むインデックス画面を表示部１０９に表示する（Ｓ７０１）。次に、ユーザが操作部１０３を操作することにより、表示されたサムネイル画像の何れかを選択した場合、制御部１０２は、選択された動画の先頭画面を再生し、表示するように記録再生部１０６、信号処理部１０４に指示する（Ｓ７０２）。
【００６０】
次に、ユーザが操作部１０３を操作することにより再生機能の画面表示を指示したことを検出した場合、制御部１０２は、表示部１０９に再生機能の選択画面を表示する（Ｓ７０３）。ユーザは操作部１０３を操作することにより、再生および編集、シーン移動などの機能を指示する（Ｓ７０４）。
【００６１】
例えば、ユーザが再生を指示した場合、制御部１０２は、選択された動画ファイルを再生し、再生された動画を表示部１０９に表示するように、記録再生部１０６と信号処理部１０４を制御する。また、次のシーン、或いは前のシーンの再生が指示された場合、制御部１０２は、現在選択されている動画ファイルの前、或いは後の動画ファイルの先頭画面を表示させる。また、消去が指示された場合、制御部１０２は、後述のように、選択中の動画ファイルの消去処理を実行すると共に、インデックス画面を表示する。また、編集が指示された場合、ユーザにより、選択された動画ファイルの編集点を設定する（Ｓ７０５）。そして、編集点の保存が指示された場合、制御部１０２は、設定された編集点と、編集の種類の情報をメモリ１０５に記憶する（Ｓ７０６）。本実施形態では、動画ファイル全体を消去する消去処理の機能を持つ。また、本実施形態では、ユーザが設定した編集点から動画ファイルの最後までを消去する処理である後切り処理と、動画ファイルの先頭から、ユーザが設定した編集点までを消去する処理である前切り処理とを有する。なお、動画ファイル全体を消去した場合は、識別情報を含むファイル自体が消去されるが、前切り処理と後切り処理とを行なったときは、動画や音声の実データのみがファイルから消去され、識別情報を含むファイルは消去されない。
【００６２】
ユーザにより消去、或いは、編集が指示された場合、制御部１０２は、編集処理を実行する（Ｓ７０７）。
【００６３】
図８は、動画ファイルの編集処理を示すフローチャートである。制御部１０２は、まず、ファイルの消去が指示されたか否かを判別する（Ｓ８０１）。ファイル消去が指示された場合、制御部１０２は、選択された動画ファイルを記録媒体１０８から消去するように、記録再生部１０６に指示する（Ｓ８０２）。また、ファイル消去が指示されていない場合、前切り、或いは後切り編集である。そのため、制御部１０２は、選択された動画ファイルにおいて、ユーザにより指定された編集点に基づいて、選択された動データの一部を消去する（Ｓ８１０）。そして、消去部分に応じて、編集対象の動画ファイルにおける管理情報、及び、識別情報を変更する（Ｓ８１１）。具体的には、前切り処理の場合、制御部１０２は、編集対象の動画ファイルのＰＩＤが所定値０か否かを判別し、ＰＩＤが所定値以外であった場合には０に変更する。また、後切り処理の場合、制御部１０２は、編集対象の動画ファイルのＮＩＤが所定値０か否かを判別し、ＮＩＤが所定値以外であった場合には０に変更する。また、前切り、後切り処理であった場合、制御部１０２は、編集対象の動画ファイルのＮＩＤとＰＩＤがそれぞれ所定値０であるか否かを判別し、所定値以外であった場合には、それぞれ０に変更する。
【００６４】
次に、制御部１０２は、編集対象の動画ファイルの識別情報に基づいて、編集対象の動画ファイルに連結した動画ファイルがあるかどうかを確認する（Ｓ８０３）。この確認は、上述したしたように、動作開始時のインデックス画面作成時の連続ファイルの検出時の情報を利用することによって、Ｓ８１１で識別情報が所定値００００に変更されていても適切に行なうことができる。即ち、Ｓ８０２で消去される前の動画ファイルの識別情報、或いは、Ｓ８１１で変更処理される前の動画ファイルの識別情報がメモリ１０５に記憶されている。そして、制御部１０２は、Ｓ８０３において、このメモリ１０５に記憶されている識別情報により連結動画があるか否かを判別する。例えば、編集対象の動画ファイルのＰＩＤ、或いはＮＩＤの少なくとも一方が所定値０でない場合、直前、或いは直後に連続した動画ファイルが記録されているので、連結ファイルありと判断する。制御部１０２は、判定の結果、連結動画無しの場合は処理を終了する。
【００６５】
また、連結動画が記録されている場合、制御部１０２は、今回の編集処理がファイル消去、または、前切り処理であるか否かを判別する（Ｓ８０４）。ファイル消去または前切り処理であった場合、制御部１０２は、直前の連結動画が記録されているか否かを判別する（Ｓ８０５）。この判別および以下に記載する同様の判別も、Ｓ８０３と同様に適切に判別することができる。例えば、編集対象の動画ファイルのＰＩＤが所定値００００でない場合は、直前の動画ファイルが記録されている。直前の連結動画が記録されていた場合、制御部１０２は、編集対象の動画ファイルのＰＩＤに基づいて直前の動画ファイルを検出し、この直前の動画ファイルの識別情報、ここではＮＩＤを、所定値００００に変更する（Ｓ８０６）。また、Ｓ８０４で消去、または、前切り処理で無かった場合、或いは、Ｓ８０５で直前の連結動画が記録されていない場合、Ｓ８０７に進む。
【００６６】
制御部１０２は、今回の編集処理がファイル消去、または、後切り処理であるか否かを判別する（Ｓ８０７）。ファイル消去または後切り処理であった場合、制御部１０２は、次の連結動画が記録されているか否かを判別する（Ｓ８０８）。例えば、編集対象の動画ファイルのＮＩＤが所定値００００でない場合は、次の動画ファイルが記録されている。次の連結動画が記録されていた場合、制御部１０２は、編集対象の動画ファイルのＮＩＤに基づいて次の動画ファイルを検出し、次の動画ファイルの識別情報、ここではＰＩＤを、所定値００００に変更する（Ｓ８０９）。また、Ｓ８０７で消去、または、後切り処理で無かった場合、或いは、Ｓ８０８で次の連結動画が記録されていない場合、処理を終了する。
【００６７】
図９の９０１に示した６個の動画ファイルのうち、動画ファイルＭＶＩ＿０００３．ＭＰ４が消去された場合の識別情報を図９の９０２に示す。動画ファイルＭＶＩ＿０００３．ＭＰ４のＮＩＤが１１１４で、ＰＩＤが１１１２であるため、直前及び次の連結動画ファイルが記録されていることがわかる。そのため、制御部１０２は、動画ファイルＭＶＩ＿０００３．ＭＰ４の直前の動画ファイルＭＶＩ＿０００２．ＭＰ４のＮＩＤを所定値００００に変更する。また、制御部１０２は、動画ファイルＭＶＩ＿０００３．ＭＰ４の次の動画ファイルＭＶＩ＿０００４．ＭＰ４のＰＩＤを所定値００００に変更する。
【００６８】
また、動画ファイルＭＶＩ＿０００３．ＭＰ４が前切り処理された場合の識別情報を図１０の１００１に示す。動画ファイルＭＶＩ＿０００３．ＭＰ４が前切り処理された場合、制御部１０２は、動画ファイルＭＶＩ＿０００３．ＭＰ４のＰＩＤを所定値００００に変更し、直前の動画ファイルＭＶＩ＿０００２．ＭＰ４のＮＩＤを所定値００００に変更する。また、動画ファイルＭＶＩ＿０００３．ＭＰ４が後切り処理された場合の識別情報を図１０の１００２に示す。動画ファイルＭＶＩ＿０００３．ＭＰ４があと切り処理された場合、制御部１０２は、動画ファイルＭＶＩ＿０００３．ＭＰ４のＮＩＤを所定値００００に変更し、次の動画ファイルＭＶＩ＿０００４．ＭＰ４のＰＩＤを所定値００００に変更する。また、動画ファイルＭＶＩ＿０００３．ＭＰ４が前切り処理及び後切り処理された場合の識別情報を図１０の１００３に示す。動画ファイルＭＶＩ＿０００３．ＭＰ４が前切り及び後切り処理された場合、制御部１０２は、動画ファイルＭＶＩ＿０００３．ＭＰ４のＮＩＤとＰＩＤを共に所定値００００に変更する。更に、制御部１０２は、直前の動画ファイルＭＶＩ＿０００２．ＭＰ４のＮＩＤを所定値００００に変更し、次の動画ファイルＭＶＩ＿０００４．ＭＰ４のＰＩＤを所定値００００に変更する。
【００６９】
このように、本実施例では、１回の記録中に複数の動画ファイルが記録された場合、直前、直後のファイルの識別情報を識別情報として動画ファイルに格納して記録する。そのため、再生時において、１回の記録において記録された動画ファイルであることを簡単に認識することができる。
【００７０】
また、この識別情報に基づいて次に再生する動画ファイルを決定し、連続して再生することにより、１回の記録中に生成された動画ファイルを連続して再生させることができる。
【００７１】
また、本実施形態では、何れかの動画ファイルの消去、或いは、一部消去などの編集処理が実行された場合、編集処理の内容に応じて識別情報を変更する（制御手段）。そのため、編集後において、消去部分の前後で連続して動画が再生されることがないので、編集処理により連続性がなくなった動画を連続して再生してしまうことを防ぐことができる。
【００７２】
なお、本実施例では、ファイルを分割するための閾値を所定のサイズとしたが、例えば、所定時間分の動画データを記録する度にファイルを分割するようにしてもよい。この場合、閾値が所定の記録時間長となる。そして、制御部１０２は、新たなファイルを作成して記録を開始してからの経過時間をカウントし、所定時間が経過すると、記録再生部１０６に対してファイル分割の指示を出力する。また、本実施形態では、動画データや音声データを記録する装置について説明したが、入力された他の情報データを記録する装置に対しても同様に本発明を適用可能である。
【００７３】
また、本実施例では、動画や音声をＭＰ４ファイル形式で記録したが、ＭＯＶファイル形式など、その他のファイル形式で記録することも可能である。
【００７４】
また、本実施例では、再生時において、識別情報に基づき、１回の記録中に生成された動画ファイルを連続して再生する構成としたが、一つの動画ファイルを最後まで再生した場合、次の動画を再生せずに、インデックス画面を表示する構成としてもよい。
【００７５】
（第２の実施例）
次に、第２の実施例を説明する。本実施例においても、記録装置１００の構成、並びに基本的な動作は第１の実施例と同様である。第２の実施形態においても、図５に示す各種の識別情報を記録するが、ここでは、撮影時において記録する各動画ファイルのＰＩＤに対し、無効であることを示す所定値、例えば−１を格納して記録する。また、ＵＩＤとＮＩＤについては、第１の実施例と同様に記録する。
【００７６】
＜記録動作＞
図１１は第２の実施例における記録処理を示すフローチャートである。図１１において、図２と同様の処理については同一番号を付加し、詳細な説明は省略する。また、図１１の処理は、制御部１０２が各部を制御することにより実行される。
【００７７】
図１１の処理においては、Ｓ１１０３において、ＰＩＤとして無効であることを示す所定値（−１）を設定する点が図２と異なる。また、Ｓ２１６で新たにファイルを作成した後、Ｓ１１０３に戻り、ＰＩＤとして無効であることを示す所定値（−１）を設定する。従って、図２のＳ２１７で行なっているＰＩＤの設定を行なわない。その他の記録処理は第１の実施例と同様である。
【００７８】
図１２は、本実施例の記録装置において記録媒体に記録される動画ファイルの内容を示す図である。図１２（ａ）は、記録開始の指示から記録停止の指示までの間に複数の動画ファイルが記録されなかった場合の動画ファイルの内容を示している。記録開始に応じて動画ファイル１２０１が作成され、動画ファイル１２０１のサイズが分割閾値に達する前に記録停止が指示された場合、ＮＩＤには０（００００）が格納され、ＰＩＤには−１（符号付き１６進数）が記録される。
【００７９】
一方、図１２（ｂ）は、記録開始の指示から記録停止の指示までの間に三つの動画ファイルが記録された場合の動画ファイルの内容を示している。記録開始に応じて動画ファイル１２０２が作成される。この動画ファイル１２０２のサイズが分割閾値に達すると、ファイル１２０２がクローズされ、新たにファイル１２０３が作成される。ファイル１２０３のＵＩＤとして例えば１１１３が格納され、ＮＩＤには次のファイルのＵＩＤである１１１４が格納される。動画ファイル１２０３のサイズが分割閾値に達すると、ファイル１２０３がクローズされ、新たにファイル１２０４が作成される。ファイル１２０４のＵＩＤとして例えば１１１４が格納される。動画ファイル１２０３の記録中に記録停止の指示があると、ファイル１２０４は１回の記録における最後のファイルなので、ＮＩＤとして０が格納される。また、各ファイルのＰＩＤとして、無効であることを示す−１が記録される。
【００８０】
＜再生動作＞
次に、再生時の処理を説明する。第１の実施例では、ＰＩＤに０が記録されているファイルが１回の記録により記録された先頭のファイルであった。一方、本実施例では、ＰＩＤには常に−１が設定されていて無効であるため、まず、制御部１０２は、ファイル番号の順に、記録された各動画ファイルのＵＩＤとＮＩＤを確認する。そして、制御部１０２は、ＮＩＤに０が記録されているファイルの次のファイルから、次にＮＩＤが０であるファイルまでが、１回の記録により記録されたファイルであるものとする。そして、制御部１０２は、１回の記録指示により記録された複数の動画ファイルであることがユーザに識別できる様に、インデックス画面の表示を変更する。これ以降の処理は第１の実施例と同様である。なお、再生時において、ファイル番号を使わず、各ファイルのＵＩＤとＮＩＤの値から、１回に記録された複数のファイルを確認し、その再生順序を決定することも可能である。第１の実施例と同様に、本実施例においても、この時の一回の記録指示で記録された動画ファイルの連続性の検出結果を例えば図１３の１３０１にように保持しておけば、再生および編集において参照することで連続性の判断が適切に行なえる。
【００８１】
この様に、本実施例では、１回の記録中に複数の動画ファイルが記録された場合、直後のファイルの識別情報を動画ファイルに格納して記録する。そのため、１回の記録において記録された動画ファイルであることを簡単に認識することができる。
【００８２】
第２の実施例では、ＰＩＤとして無効を示す値を記録したが、第１の実施例のようにＰＩＤを記録するか、無効とするかをユーザが選択できる様に構成してもよい。
【００８３】
＜編集動作＞
次に、編集時の処理を説明する。第２の実施例においても、編集処理として、ファイル消去、前切り処理、及び後切り処理の三つの処理が可能であり、編集処理は図７、図８のフローチャートに示した処理を行う。第２の実施例ではＰＩＤに無効値が設定されているので、Ｓ８０３−Ｓ８０９において、ＮＩＤの値に基づいて、連結動画、直前の動画ファイル、及び、次の動画ファイルを検出する。この場合も、上述したインデックス画面の生成時での連続性の検出結果を参照して容易に行なえる。
【００８４】
また、Ｓ８１１において、前切り処理であった場合、編集対象の動画ファイルのＰＩＤが無効値であるため、ここではＰＩＤは変更しない。また、Ｓ８０９におけるＰＩＤの変更も行なわない。
【００８５】
また、Ｓ８０３において、制御部１０２は、各動画ファイルのＮＩＤと編集対象の動画ファイルのＵＩＤとに基づいて、編集対象の動画ファイルに連結した動画ファイルがあるかどうかを確認する。制御部１０２は、編集対象の動画ファイルのＮＩＤが所定値０でない場合、連結ファイルありと判断する。また、制御部１０２は、編集対象の動画ファイルのＵＩＤの値を検出し、このＵＩＤと同じ値が、ＮＩＤとして格納されている動画ファイルを、記録媒体１０８に記録された動画ファイルの中から検出する。編集対象の動画ファイルのＵＩＤと同じ値がＮＩＤに格納された動画ファイルが、連結ファイルである。制御部１０２は、判定の結果、連結動画無しの場合は処理を終了する。
【００８６】
また、連結動画が記録されている場合、制御部１０２は、今回の編集処理がファイル消去、または、前切り処理であるか否かを判別する（Ｓ８０４）。ファイル消去または前切り処理であった場合、制御部１０２は、直前の連結動画が記録されているか否かを判別する（Ｓ８０５）。例えば、編集対象の動画ファイルのＵＩＤがＮＩＤに設定されている動画ファイルがある場合、それが直前に記録された動画ファイルとなる。直前の連結動画が記録されていた場合、制御部１０２は、この直前の動画ファイルの識別情報、ここではＮＩＤを、所定値００００に変更する（Ｓ８０６）。また、Ｓ８０４で消去、または、前切り処理で無かった場合、或いは、Ｓ８０５で直前の連結動画が記録されていない場合は、Ｓ８０７に進む。
【００８７】
Ｓ８０７において制御部１０２は、今回の編集処理がファイル消去、または、後切り処理であるか否かを判別する。ファイル消去または後切り処理であった場合、制御部１０２は、次の連結動画が記録されているか否かを判別する（Ｓ８０８）。例えば、編集対象の動画ファイルのＮＩＤが所定値００００でない場合は、次の動画ファイルが記録されている。次の連結動画が記録されていた場合、制御部１０２は、Ｓ８０９に処理を進めるが、本実施例ではＰＩＤが無効設定になっているので、次の動画ファイルの識別情報であるＰＩＤの変更は行なわない（Ｓ８０９）。あるいは、改めて−１（１６進）を設定するようにしてもよい。また、Ｓ８０７で消去、または、後切り処理で無かった場合、或いは、Ｓ８０８で次の連結動画が記録されていない場合、処理を終了する。上述したように、本実施例ではＳ８０７からＳ８０９の処理を省略することが可能である。例えば、Ｓ８０７で編集対象の動画ファイルのＰＩＤが無効に設定されているかどうかを判定し、無効であるときは処理を終了するようにしてもよい。
【００８８】
図１３の１３０１は、第２の実施例において、記録媒体１０８に記録された動画ファイルと、その識別情報を示している。動画ファイルＭＶＩ＿０００１．ＭＰ４からＭＶＩ０００５．ＭＰ４までの５個の動画ファイルは、ユーザによる１回の記録開始の指示から記録停止の指示までの間に記録された動画ファイルである。また、動画ファイルＶＭＩ＿０００６．ＭＰ４は、ユーザによる１回の記録開始の指示から記録停止の指示までの間に記録された動画ファイルである。各動画ファイルのＰＩＤには無効を示す値−１が格納される。
【００８９】
動画ファイルＭＶＩ＿０００１．ＭＰ４のＮＩＤには、次の動画ファイルＭＶＩ＿０００２．ＭＰ４のＵＩＤである１１１２が格納される。動画ファイルＭＶＩ＿０００２．ＭＰ４のＮＩＤには、次の動画ファイルＭＶＩ＿０００３．ＭＰ４のＵＩＤである１１１３が格納される。動画ファイルＭＶＩ＿０００３．ＭＰ４のＮＩＤには、次の動画ファイルＭＶＩ＿０００４．ＭＰ４のＵＩＤである１１１４が格納される。動画ファイルＭＶＩ＿０００４．ＭＰ４のＮＩＤには、次の動画ファイルＭＶＩ＿０００５．ＭＰ４のＵＩＤである１１１５が格納される。動画ファイルＭＶＩ＿０００５．ＭＰ４は記録停止時の最後のファイルであるため、ＮＩＤには所定値００００が格納される。
【００９０】
また、動画ファイルＭＶＩ＿０００６．ＭＰ４は、１回の記録開始の指示及び記録停止の指示により記録されたファイルであるため、ＮＩＤには所定値００００が格納される。
【００９１】
図１３の１３０１に示した６個の動画ファイルのうち、動画ファイルＭＶＩ＿０００３．ＭＰ４が消去された場合の識別情報を図１３の１３０２に示す。動画ファイルＭＶＩ＿０００３．ＭＰ４のＵＩＤと同じ値が動画ファイルＭＶＩ＿０００２．ＭＰ４のＮＩＤに格納されているため、直前の動画ファイルが記録されていることがわかる。そのため、制御部１０２は、動画ファイルＭＶＩ＿０００３．ＭＰ４の直前の動画ファイルＭＶＩ＿０００２．ＭＰ４のＮＩＤを所定値００００に変更する。
【００９２】
また、動画ファイルＭＶＩ＿０００３．ＭＰ４が前切り処理された場合の識別情報を図１４の１４０１に示す。動画ファイルＭＶＩ＿０００３．ＭＰ４が前切り処理された場合、制御部１０２は、動画ファイルＭＶＩ＿０００３．ＭＰ４の識別情報は変更せず、直前の動画ファイルＭＶＩ＿０００２．ＭＰ４のＮＩＤを所定値００００に変更する。
【００９３】
また、動画ファイルＭＶＩ＿０００３．ＭＰ４が後切り処理された場合の識別情報を図１４の１４０２に示す。動画ファイルＭＶＩ＿０００３．ＭＰ４が後切り処理された場合、制御部１０２は、動画ファイルＭＶＩ＿０００３．ＭＰ４のＮＩＤを所定値００００に変更し、他の動画ファイルの識別情報は変更しない。
【００９４】
また、動画ファイルＭＶＩ＿０００３．ＭＰ４が前切り処理及び後切り処理された場合の識別情報を図１４の１４０３に示す。動画ファイルＭＶＩ＿０００３．ＭＰ４が前切り及び後切り処理された場合、制御部１０２は、動画ファイルＭＶＩ＿０００３．ＭＰ４のＮＩＤを共に所定値００００に変更する。更に、制御部１０２は、直前の動画ファイルＭＶＩ＿０００２．ＭＰ４のＮＩＤを所定値００００に変更する。
【００９５】
このように、本実施例では、１回の記録中に生成された複数の動画ファイルの識別情報として、直前及び次の動ファイルを示す識別情報を記録する。そして、再生時においては、この識別情報に基づいて次に再生する動画ファイルを決定し、連続して再生するので、１回の記録中に生成された動画ファイルを連続して再生させることができる。
【００９６】
また、本実施例では、何れかの動画ファイルの消去、或いは、一部消去などの編集処理が実行された場合、編集処理の内容に応じて識別情報を変更する。そのため、編集後において、消去部分の前後で連続して動画が再生されることがないので、編集処理により連続性がなくなった動画を連続して再生してしまうことを防ぐことができる。
【００９７】
（第３の実施例）
次に、第３の実施例を説明する。本実施例においても、記録装置１００の構成、並びに基本的な記録動作は第１の実施例と同様である。第３の実施例においても、図５に示す各種の識別情報を記録する。本実施例では、ＰＩＤに対し、第１の実施例のように、直前の動画ファイルのＵＩＤを格納する構成とする。
【００９８】
本実施例では、動画ファイルの消去、或いは、一部消去などの編集処理が実行された場合、編集対象の動画ファイルの識別情報を変更し、他の動画ファイルの識別情報は変更（図８のＳ８０３からＳ８０９の処理）しない。
【００９９】
図１５は第３の実施例における、Ｓ７０７の編集処理を示すフローチャートである。制御部１０２は、まず、ファイルの消去が指示されたか否かを判別する（Ｓ１５０１）。ファイル消去が指示された場合、制御部１０２は、選択された動画ファイルを記録媒体１０８から消去するように、記録再生部１０６に指示する（Ｓ１５０２）。また、ファイル消去が指示されていない場合、前切り、或いは後切り編集である。そのため、制御部１０２は、選択された動画ファイルにおいて、ユーザにより指定された編集点に基づいて、選択された動データの一部を消去する（Ｓ１５０３）。そして、消去部分に応じて、編集対象の動画ファイルにおける管理情報、及び、識別情報を変更する（Ｓ１５０４）。
【０１００】
例えば、第１の実施例と同様に、以下のように処理する。前切り処理の場合、制御部１０２は、編集対象の動画ファイルのＰＩＤが所定値０か否かを判別し、ＰＩＤが所定値以外であった場合には０に変更する。また、後切り処理の場合、制御部１０２は、編集対象の動画ファイルのＮＩＤが所定値０か否かを判別し、ＮＩＤが所定値以外であった場合には０に変更する。また、前切り、後切り処理であった場合、制御部１０２は、編集対象の動画ファイルのＮＩＤとＰＩＤがそれぞれ所定値０であるか否かを判別し、所定値以外であった場合には、それぞれ０に変更する。
【０１０１】
図９の９０１に示した６個の動画ファイルのうち、動画ファイルＭＶＩ＿０００３．ＭＰ４が編集処理された場合の識別情報を図１６に示す。図１６の１６０１は、動画ファイルＭＶＩ＿０００３．ＭＰ４が消去された場合の識別情報を示している。動画ファイルＭＶＩ＿０００３．ＭＰ４が消去され、他の動画ファイルの識別情報は変更されない。
【０１０２】
また、動画ファイルＭＶＩ＿０００３．ＭＰ４が前切り処理された場合の識別情報を図１６の１６０２に示す。動画ファイルＭＶＩ＿０００３．ＭＰ４が前切り処理された場合、制御部１０２は、動画ファイルＭＶＩ＿０００３．ＭＰ４のＰＩＤを所定値００００に変更する。また、動画ファイルＭＶＩ＿０００３．ＭＰ４が後切り処理された場合の識別情報を図１６の１６０３に示す。動画ファイルＭＶＩ＿０００３．ＭＰ４が後切り処理された場合、制御部１０２は、動画ファイルＭＶＩ＿０００３．ＭＰ４のＮＩＤを所定値００００に変更する。また、動画ファイルＭＶＩ＿０００３．ＭＰ４が前切り処理及び後切り処理された場合の識別情報を図１６の１６０４に示す。動画ファイルＭＶＩ＿０００３．ＭＰ４が前切り及び後切り処理された場合、制御部１０２は、動画ファイルＭＶＩ＿０００３．ＭＰ４のＮＩＤとＰＩＤを共に所定値００００に変更する。
【０１０３】
図１６に示す様に、消去、前切り、後切り処理の何れの場合にも、制御部１０２は、編集対象の動画ファイル以外の動画ファイルの識別情報は変更しない。
【０１０４】
次に、本実施例の再生処理について説明する。図１７は第３の実施例の再生処理を示すフローチャートである。操作部１０３により再生モードの切り替え指示が出力された場合、制御部１０２は、記録再生部１０６を制御し、記録媒体１０８に記録された複数の動画ファイルを検出する。そして、制御部１０２は、各動画ファイルのサムネイル画像データを読み出してメモリ１０５に記憶するように、記録再生部１０６に指示する。制御部１０２は、各動画ファイルのシーンのサムネイル画像からなるインデックス画面を生成し、表示部１０９に表示する（Ｓ１７０１）。このとき、制御部１０２は、１回の記録指示により記録された複数の動画ファイルであることがユーザに識別できる様に、インデックス画面の表示を変更する。
【０１０５】
図１８は、Ｓ１７０１のインデックス画面の表示処理を示すフローチャートである。
【０１０６】
図１８において、制御部１０２は、インデックス画面に表示する動画ファイルを一つ選択する（Ｓ１８０１）。制御部１０２は、選択した動画ファイルを再生し、サムネイル画像を生成するように記録再生部１０６と信号処理部１０４に指示し、生成されたサムネイル画像がメモリ１０５に記憶される（Ｓ１８０２）。次に、制御部１０２は、選択した動画ファイルのＮＩＤとＰＩＤを検出し（Ｓ１８０３）、ＰＩＤの値が所定値０か否かを判別する（Ｓ１８０４）。ＰＩＤの値が所定値であった場合、制御部１０２は、選択した動画ファイルを１回の記録により記録された動画の先頭として設定する（Ｓ１８０５）。
【０１０７】
次に、制御部１０２は、選択した動画ファイルのＮＩＤが所定値０か否かを判別する（Ｓ１８０６）。ＮＩＤが０であった場合、制御部１０２は、選択した動画ファイルを１回の記録により記録された動画の最後として設定する（Ｓ１８１１）。また、ＮＩＤが所定値でない場合、制御部１０２は、ＮＩＤの値と同じ値がＵＩＤとして格納されている動画ファイルが記録媒体１０８に記録されているか否かを判別する（Ｓ１８０７）。ＮＩＤに対応した動画ファイルが記録されていない場合、選択中の動画ファイルを１回の記録により記録された動画の最後として設定する（Ｓ１８１１）。また、ＮＩＤに対応した動画ファイルが記録されていた場合、制御部１０２は、ＮＩＤに対応した次の動画ファイルのＰＩＤが所定値であるか否かを判別する（Ｓ１８０８）。次の動画のＰＩＤが所定値の場合、次の動画は、１回の記録における先頭のファイルか、または、前切り処理によりＰＩＤが所定値に変更されたファイルである。そのため、次の動画ファイルのＰＩＤが所定値である場合、選択中の動画ファイルを１回の記録により記録された動画の最後として設定する（Ｓ１８１１）。
【０１０８】
次に、制御部１０２は、インデックス画面に表示すべき動画が残っているか否かを判別し（Ｓ１８０９）、残りの動画ファイルがある場合は、次の動画ファイルを選択する（Ｓ１８１２）。また、残りの動画ファイルが無い場合は、メモリ１０５に記憶されたサムネイル画像データを用いてインデックス画面を生成し、表示部１０９に表示する（Ｓ１８１０）。このとき、制御部１１０は、Ｓ１８０５において設定された先頭の動画から、Ｓ１８１１において設定された最後の動画までを、１回の記録により記録された動画（グループ）であることを識別するための情報をインデックス画面に表示する。
【０１０９】
このようにインデックス画面を表示した後、ユーザは、操作部１０３を操作して、インデックス画面に表示された代表画像から所望の代表画像を選択し、再生を指示する（Ｓ１７０２）。制御部１０２は、再生指示が出力された場合、選択された代表画像に対応するシーンの動画ファイルを再生するように、記録再生部１０６に指示する。記録再生部１０６は、指定された動画ファイルを記録媒体１０８から再生する（Ｓ１７０３）。信号処理部１０４は、再生された動画ファイルを復号し、表示部１０９に表示すると共に、出力部１０７より外部に出力する。
【０１１０】
制御部１０２は、動画ファイルの最後まで再生したか否かを判別する（Ｓ１７０４）。動画ファイルの最後まで再生していない場合、制御部１０２は、再生停止の指示が出力されたか否かを判別する（Ｓ１７０５）。再生停止の指示が無い場合にはそのまま動画の再生が継続される。また、再生停止の指示が出力された場合、制御部１０２は、記録再生部１０６に対し、動画ファイルの再生を停止するように指示する。記録再生部１０６は、動画ファイルの再生を停止する（Ｓ１７０６）。そして、制御部１０２は、再度、インデックス画面を表示部１０９に表示する。
【０１１１】
また、Ｓ１７０４で、動画の最後まで再生した場合、制御部１０２は、再生中の動画ファイルのＮＩＤを確認し、ＮＩＤに所定値０が格納されているか否かを判別する（Ｓ１７０７）。ＮＩＤに０が格納されていた場合、１回の記録により記録された最後のファイルであるため、制御部１０２は、記録再生部１０６に対し、動画ファイルの再生を停止するように指示する。
【０１１２】
また、ＮＩＤが０でない場合、制御部１０２は、再生中の動画ファイルのＮＩＤと同じ値がＵＩＤに格納された動画ファイルが記録媒体１０８に記録されているか否かを判別する（Ｓ１７０８）。ＮＩＤに対応した動画ファイルが記録されていない場合、制御部１０２は、記録再生部１０６に対し、動画ファイルの再生を停止するように指示する。また、ＮＩＤに対応した動画ファイルが記録されていた場合、制御部１０２は、ＮＩＤに対応した次の動画ファイルのＰＩＤが所定値０であるかどうかを判別する（Ｓ１７０９）。次の動画ファイルのＰＩＤが０であった場合、次の動画は、１回の記録における先頭のファイルか、または、前切り処理によりＰＩＤが所定値に変更されたファイルである。そのため、制御部１０２は、動画の再生を停止し、インデックス画面を表示する（Ｓ１７０６）。また、次の動画ファイルのＰＩＤが所定値０でない場合、制御部１０２は、次の動画を選択して再生する（Ｓ１７１０）。
【０１１３】
このように、本実施例では、１回の記録中に複数の動画ファイルが記録された場合、直前、直後のファイルの識別情報を動画ファイルに格納して記録する。そのため、再生時において、１回の記録において記録された動画ファイルであることを簡単に認識することができる。
【０１１４】
また、この識別情報に基づいて次に再生する動画ファイルを決定し、連続して再生することにより、１回の記録中に生成された動画ファイルを連続して再生させることができる。
【０１１５】
また、本実施例では、何れかの動画ファイルの消去、或いは、一部消去などの編集処理が実行された場合、編集処理の内容に応じて識別情報を変更する。そのため、編集後において、消去部分の前後で連続して動画が再生されることがないので、編集処理により連続性がなくなった動画を連続して再生してしまうことを防ぐことができる。
【０１１６】
（その他の実施形態）
前述した本発明の実施形態における記録装置を構成する各手段、並びに記録方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【０１１７】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１１８】
なお、本発明は、前述した実施形態の機能を実現するソフトウェアのプログラム（実施形態では図２に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【０１１９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１２０】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１２１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１２２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１２３】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１２４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１２５】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図１】
2014045353.tif 000003
【図２】
2014045353.tif 000004
【図３】
2014045353.tif 000005
【図４】
2014045353.tif 000006
【図５】
2014045353.tif 000007
【図６】
2014045353.tif 000008
【図７】
2014045353.tif 000009
【図８】
2014045353.tif 000010
【図９】
2014045353.tif 000011
【図１０】
2014045353.tif 000012
【図１１】
2014045353.tif 000013
【図１２】
2014045353.tif 000014
【図１３】
2014045353.tif 000015
【図１４】
2014045353.tif 000016
【図１５】
2014045353.tif 000017
【図１６】
2014045353.tif 000018
【図１７】
2014045353.tif 000019
【図１８】
2014045353.tif 000020
【手続補正書】
【提出日】平成25年9月9日(2013.9.9)
【手続補正１】
【補正対象書類名】明細書
【補正対象項目名】０００６
【補正方法】変更
【補正の内容】
【０００６】
本発明は上記問題点に鑑み、１回の記録中に複数のファイルを作成して記録する場合に、それら複数のファイルの関連情報を設定し、記録ファイルを編集しても関係性を保持および更新する編集方法を実現することを目的とする。
【手続補正２】
【補正対象書類名】明細書
【補正対象項目名】０００７
【補正方法】変更
【補正の内容】
【０００７】
上記本発明の目的を達成するため、それぞれが、動画データと、他の動画ファイルとの時間的な連続性に関する識別情報と、を含む複数の動画ファイルを処理する画像処理装置は、動画ファイルに含まれる動画データの少なくとも一部を消去する編集を行う処理手段と、編集に応じて、動画ファイルの識別情報を変更するように制御する制御手段とを有し、処理手段が動画ファイルに含まれる動画データの少なくとも一部を消去する編集を行った場合、制御手段は、複数の動画ファイルのうち少なくとも一つの動画ファイルの識別情報を、編集を行った動画ファイルと編集を行った動画ファイルに対して時間的に連続する動画ファイルとの連続性がないことを識別するための所定値に変更する。
【手続補正３】
【補正対象書類名】明細書
【補正対象項目名】００６４
【補正方法】変更
【補正の内容】
【００６４】
次に、制御部１０２は、編集対象の動画ファイルの識別情報に基づいて、編集対象の動画ファイルに連結した動画ファイルがあるかどうかを確認する（Ｓ８０３）。この確認は、上述したように、動作開始時のインデックス画面作成時の連続ファイルの検出時の情報を利用することによって、Ｓ８１１で識別情報が所定値００００に変更されていても適切に行なうことができる。即ち、Ｓ８０２で消去される前の動画ファイルの識別情報、或いは、Ｓ８１１で変更処理される前の動画ファイルの識別情報がメモリ１０５に記憶されている。そして、制御部１０２は、Ｓ８０３において、このメモリ１０５に記憶されている識別情報により連結動画があるか否かを判別する。例えば、編集対象の動画ファイルのＰＩＤ、或いはＮＩＤの少なくとも一方が所定値０でない場合、直前、或いは直後に連続した動画ファイルが記録されているので、連結ファイルありと判断する。制御部１０２は、判定の結果、連結動画無しの場合は処理を終了する。
【手続補正４】
【補正対象書類名】特許請求の範囲
【補正対象項目名】全文
【補正方法】変更
【補正の内容】
【特許請求の範囲】
【請求項１】
それぞれが、動画データと、他の動画ファイルとの時間的な連続性に関する識別情報と、を含む複数の動画ファイルを処理する装置であって、
前記動画ファイルに含まれる動画データの少なくとも一部を消去する編集を行う処理手段と、
前記編集に応じて、前記動画ファイルの識別情報を変更するように制御する制御手段と、を有し、
前記処理手段が動画ファイルに含まれる動画データの少なくとも一部を消去する編集を行った場合、前記制御手段は、複数の動画ファイルのうち少なくとも一つの動画ファイルの識別情報を、前記編集を行った動画ファイルと前記編集を行った動画ファイルに対して時間的に連続する動画ファイルとの連続性がないことを識別するための所定値に変更することを特徴とする画像処理装置。
【請求項２】
前記処理手段が動画ファイルに含まれる動画データの少なくとも一部を消去する編集を行った場合、前記制御手段は、前記編集を行った動画ファイルと、前記編集を行った動画ファイルに対して時間的に連続する動画ファイルとのうち少なくとも一つの動画ファイルの識別情報を、前記編集を行った動画ファイルと前記編集を行った動画ファイルとの連続性がないことを識別するための所定値に変更することを特徴とする請求項１に記載の画像処理装置。
【請求項３】
前記処理手段が動画ファイルに含まれる動画データのうち先頭からの一部を消去する編集を行った場合、前記制御手段は、前記編集を行った動画ファイルに対して時間的に前に連続する動画ファイルの識別情報を、前記編集を行った動画ファイルとの連続性がないことを識別するための所定値に変更することを特徴とする請求項１または２に記載の画像処理装置。
【請求項４】
前記処理手段が動画ファイルに含まれる動画データのうち最後からの一部を消去する編集を行った場合、前記制御手段は、前記編集を行った動画ファイルに対して時間的に後に連続する動画ファイルの識別情報を、前記編集を行った動画ファイルとの連続性がないことを識別するための所定値に変更することを特徴とする請求項１から３の何れか一項に記載の画像処理装置。
【請求項５】
前記処理手段が動画ファイルに含まれる動画データのうち先頭からの一部を消去する編集を行った場合、前記制御手段は、前記編集を行った動画ファイルの識別情報を、前記編集を行った動画ファイルに対して時間的に前に連続する動画ファイルとの連続性がないことを識別するための所定値に変更することを特徴とする請求項１から４の何れか一項に記載の画像処理装置。
【請求項６】
前記処理手段が動画ファイルに含まれる動画データのうち最後からの一部を消去する編集を行った場合、前記制御手段は、前記編集を行った動画ファイルの識別情報を、前記編集を行った動画ファイルに対して時間的に後に連続する動画ファイルとの連続性がないことを識別するための所定値に変更することを特徴とする請求項１から５の何れか一項に記載の画像処理装置。
【請求項７】
前記処理手段が動画ファイルを消去する編集を行った場合、前記制御手段は、前記編集を行った動画ファイルに対して時間的に前に連続する動画ファイルの識別情報を、前記編集を行った動画ファイルとの連続性がないことを識別するための所定値に変更することを特徴とする請求項１または２に記載の画像処理装置。
【請求項８】
それぞれが、動画データと、他の動画ファイルとの時間的な連続性に関する識別情報と、を含む複数の動画ファイルを処理する方法であって、
前記動画ファイルに含まれる動画データの少なくとも一部を消去する編集を行う処理ステップと、
前記編集に応じて、前記動画ファイルの識別情報を変更するように制御する制御ステップと、を有し、
前記処理ステップにおいて、動画ファイルに含まれる動画データの少なくとも一部を消去する編集を行った場合、制御ステップにおいて、複数の動画ファイルのうち少なくとも一つの動画ファイルの識別情報を、前記編集を行った動画ファイルと前記編集を行った動画ファイルに対して時間的に連続する動画ファイルとの連続性がないことを識別するための所定値に変更することを特徴とする画像処理方法。
【請求項９】
それぞれが、動画データと、他の動画ファイルとの時間的な連続性に関する識別情報と、を含む複数の動画ファイルを処理する方法であって、
前記動画ファイルに含まれる動画データの少なくとも一部を消去する編集を行う処理ステップと、
前記編集に応じて、前記動画ファイルの識別情報を変更するように制御する制御ステップと、を有し、
前記処理ステップにおいて、動画ファイルに含まれる動画データの少なくとも一部を消去する編集を行った場合、制御ステップにおいて、複数の動画ファイルのうち少なくとも一つの動画ファイルの識別情報を、前記編集を行った動画ファイルと前記編集を行った動画ファイルに対して時間的に連続する動画ファイルとの連続性がないことを識別するための所定値に変更することをコンピュータに実行させるプログラム。  
【請求項１０】
請求項９に記載のプログラムを記録したコンピュータが読み取り可能な記録媒体。